(57)【要約】【課題】軽量で簡単な浮遊物付着防止装置を提供することにある。また、部屋の中の浮遊物を除電する浮遊物付着防止装置を提供する。【解決手段】除電装置を、人体頭部周囲に浮遊する浮遊物を除電して人体への付着を防止するように人体に装着する。また、除電装置を、部屋内に浮遊する浮遊物を除電して人体、壁またはテレビ等の装置への付着を防止するように部屋内に配置する。【選択図】  図１
2005174672.tif 000002
【特許請求の範囲】
【請求項１】
人体頭部周囲に浮遊する浮遊物を除電して人体への付着を防止するように人体に装着されることを特徴とする浮遊物付着防止装置。
【請求項２】
請求項１記載の浮遊物付着防止装置において、付着を防止する浮遊物が花粉、ウイルス、ウイルスのついた埃，農薬滴，塗料粒、塗料液滴、またはインク液滴であることを特徴とする浮遊物付着防止装置。
【請求項３】
部屋内に浮遊する浮遊物を除電して人体、または壁または装置への付着を防止するように部屋内に配置されることを特徴とする浮遊物付着防止装置。
【請求項４】
請求項３記載の浮遊物付着防止装置において、付着を防止する浮遊物が花粉、ウイルス、ウイルスのついた埃，農薬滴，塗料粒、塗料液滴、またはインク液滴であることを特徴とする浮遊物付着防止装置。
【請求項５】
装置のまわりに浮遊する浮遊物を除電して、装置への付着を防止するように装置内または装置の近くに配置されることを特徴とする浮遊物付着防止装置。
【請求項６】
請求項１、３および５のいずれか１つに記載の浮遊物付着防止装置において、浮遊物の除電は、＋と−のイオンを放射することによって行うことを特徴とする浮遊物付着防止装置。
【発明の詳細な説明】
【技術分野】
【０００１】
本発明は、浮遊物付着防止装置に関し、特に  人体頭部周囲または部屋内に浮遊する花粉、ウイルス、ウイルスのついた埃，農薬滴，塗料粒、塗料液滴、またはインク液滴等の浮遊物の人体、壁または装置への付着を防止する浮遊物付着防止装置に関する。
【背景技術】
【０００２】
人体に付着する浮遊物は、従来はマスクをしたり、ゴーグルを被ったりして浮遊物を避けていたが、完全に付着を阻止することはできなかった。また、浮遊物がゴーグルに付着すると、汚れで前が見えなくなるためその都度掃除をしたり交換をしていた。
【０００３】
壁または装置に付着する浮遊物は、従来は壁に保護用のシートを貼り、汚れを防止したり、汚れ発生の都度頻繁に掃除を行っていた。
【発明の開示】
【発明が解決しようとする課題】
【０００４】
花粉が人体に付着するのを防ぐ目的でマスクやゴーグルは完全に防止できないし，常時装着しているのは苦痛で実用的でなかった。設備としてフィルタでろ過する装置は大きいし重くて人体に携帯するには難があった。
【０００５】
静電塗装時、塗料が人体に付着するのを防止する手段は人体にマスクやゴーグルをしているが、これでは完全に防止できないし、ゴーグルに塗料が着いてしまい、前が見えなくなるという問題もあった。また、マスクやゴーグルの中に圧縮空気を送って息苦しくなるのを軽減したりしているが、このため装置が大きくかつ重くなり、塗装が作業者にとって非常に苦痛の伴う仕事であった。
【０００６】
温室等の狭い空間で農薬を使うときは少量の農薬で大きな効果を出す必要があるため、農薬の液滴に静電気を持たせて作物への付着効率を上げる静電農薬散布が行われるが、困ったことに噴出した農薬の一部が人体に付着し、薬害を起こすという問題があった。農薬が付着するのを防止するために人はマスクやゴーグルをしているが、これでは完全に防止できないし、ゴーグルに農薬が着いてしまい、前が見えなくなるという問題もあった。また、マスクやゴーグルの中に圧縮空気を送って息苦しくなるのを軽減したりしているが、このため装置が大きくかつ重くなり、農薬散布が作業者にとって非常に苦痛の伴う仕事であった。
【０００７】
空気中に浮遊するウイルスやウイルスの着いた埃が人体へ付着し感染するのを防止するために、人体にマスクやゴーグルを掛けている。しかしこれらの方法はあくまでも受身の防衛手段であり、積極的に浮遊物が付着しないようにする手段はなかった。そのため完全に防御することは難しく、感染の可能性が高い現状である。
【０００８】
したがって、本発明の目的は、軽量で簡単な浮遊物付着防止装置を提供することにある。
また、部屋の中の浮遊物を除電する浮遊物付着防止装置を提供することにある。
【課題を解決するための手段】
【０００９】
前記目的を達成するために、本発明は、人体頭部周囲に浮遊する浮遊物を除電して人体への付着を防止するように人体に装着されることを特徴とする浮遊物付着防止装置を採用するものである。また、部屋内に浮遊する浮遊物を除電して人体、壁または装置への付着を防止するように部屋内に配置されることを特徴とする浮遊物付着防止装置を採用するものである。
【発明の効果】
【００１０】
本発明では、人体に装着可能な軽量で簡単な浮遊物付着防止装置が得られる。また、部屋内に浮遊する浮遊物を除電することによる浮遊物付着防止装置が得られる。
【発明を実施するための最良の形態】
【００１１】
＋と−のイオンを放射する除電器を人体に装着し、または部屋内に配置することによって、人体、壁または装置への浮遊物の付着を防止する。
【実施例１】
【００１２】
最初に、浮遊物が人体や部屋の壁に付着する原理を説明する。例えば＋に帯電した浮遊物、例えば、花粉、ウイルス付着の埃、農薬液滴、塗料液滴等が導体である人体に接近すると、逆極性の−の電子が人体の表面に吸い寄せられ＋の浮遊物と−電子の吸引力により浮遊物が人体に付着することになる。また、−に帯電した浮遊物が人体に接近すると、電子が散逸し、＋のホールが発生し、−の浮遊物と＋のホールの吸引力により浮遊物が人体に付着することになる。
【００１３】
部屋の中で、塗装を行っている場合、浮遊物となった、例えば、＋に帯電した塗料が壁や人体に接近すると、逆極性の−の電子が壁や人体の表面に吸い寄せられ＋の塗料と−電子の吸引力により塗料が壁や人体に付着することになる。また、−に帯電した塗料が壁に接近すると、電子が散逸し、＋のホールが発生し、−の塗料と＋のホールの吸引力により塗料が壁や人体に付着することになる。
【００１４】
本発明は、帯電している浮遊物を除電することにより、人体や壁への付着を防止するものであり、除電は＋と−のイオン発生器を人体に装着させて人体に向けて照射することや浮遊物のある部屋にイオン発生器を配置することによって行う。
【００１５】
図１に示すように、人体１２のイオン発生器１０である除電装置を装着し、＋と−のイオン１４を顔に向けて発射するようにする。この状態で例えば、＋または−に帯電した浮遊物が顔に接近すると、除電され、人体に付着するのを防止できる。
【実施例２】
【００１６】
図２に示すように、イオン発生器１０を部屋２０の中に配置し＋と−のイオンで部屋を充満させる。帯電した塗料や浮遊物が浮遊していても、除電され、部屋の壁２２、人体１２、テレビ等の装置２４に付着するのが防止される。
【００１７】
図３に示すように、イオン発生器１０をテレビ等の装置２４に、または装置２４の近くに配置して、＋と−のイオンで覆う。帯電した浮遊物は、除電され、装置２４に付着するのを防止できる。
【図面の簡単な説明】
【００１８】
【図１】図１は本発明の実施例１の浮遊物付着防止装置を示す概略図である。
【図２】図２は本発明の実施例２の浮遊物付着防止装置を示す概略図である。
【図３】図３は付着を防止すべき装置に対して配置した浮遊物付着防止装置を示す概略図である。
【符号の説明】
【００１９】
１０  除電装置（イオン発生器）
１２  人体
１４  イオン
２０  部屋
２２  壁
２４  付着を防止すべき装置
【図１】
2005174672.tif 000003
【図２】
2005174672.tif 000004
【図３】
2005174672.tif 000005